(57)【要約】  吸収体の利用効率に優れる吸収体物品を提供することを目的とする。前後方向に延在する底面部と前記底面部の左右両側において上側に立ち上がっている側面部とを有する防漏体と、前記防漏体の前記底面部と前記側面部とにより形成される内部空間に少なくとも１層配置された、高吸水性樹脂を含有し体液を吸収しうる吸収体と、前記内部空間の前身頃部において、排出された尿の流れが直接当たる位置に配置され、尿が排出された場合に尿の流れが当たった位置から他の位置に移動させる液ガイドユニットとを具備する、吸収体物品により、上記目的が達成される。
2008081549.tif 000002
【特許請求の範囲】
【請求項１】
前後方向に延在する底面部と前記底面部の左右両側において上側に立ち上がっている側面部とを有する防漏体と、
前記防漏体の前記底面部と前記側面部とにより形成される内部空間に少なくとも１層配置された、高吸水性樹脂を含有し体液を吸収しうる吸収体と、
前記内部空間の前身頃部において、排出された尿の流れが直接当たる位置に配置され、尿が排出された場合に尿の流れが当たった位置から他の位置に移動させる液ガイドユニットと
を具備する、吸収体物品。
【請求項２】
前記液ガイドユニットがシート状である、請求項１に記載の吸収体物品。
【請求項３】
前記液ガイドユニットが、幅１０〜１００ｍｍ、長さ２０〜２００ｍｍ、厚さ０．１〜２ｍｍである、請求項２に記載の吸収体物品。
【請求項４】
前記液ガイドユニットの周縁部の一部が、前記吸収体物品の他の部分に結合していない、請求項２又は３に記載の吸収体物品。
【請求項５】
前記液ガイドユニットが開口フィルムにより構成されている請求項２〜４のいずれかに記載の吸収体物品。
【請求項６】
前記液ガイドユニットの少なくとも一部がクッション性を有する、請求項２〜４のいずれかに記載の吸収体物品。
【請求項７】
前記液ガイドユニットが嵩高不織布により構成されている請求項６に記載の吸収体物品。
【請求項８】
前記液ガイドユニットの少なくとも一部が伸縮性を有する、請求項２〜４のいずれかに記載の吸収体物品。
【請求項９】
前記液ガイドユニットが伸縮性ネットにより構成されている請求項８に記載の吸収体物品。
【請求項１０】
前記液ガイドユニットが、凹面を上側に有する発泡成形体により構成されている、請求項１に記載の吸収体物品。
【請求項１１】
更に、前記吸収体の上側にスキンコンタクトシートを有する、請求項１〜１０のいずれかに記載の吸収体物品。
【請求項１２】
前記液ガイドユニットの後端部と前記スキンコンタクトシートとが結合している、請求項１１に記載の吸収体物品。
【請求項１３】
更に、前記防漏体の前後方向の中央部近傍に、尿便分離部材を有し、前記尿便分離部材により、前記内部空間の前身頃が尿受容部、前記内部空間の後身頃が便受容部として機能している、請求項１〜１２のいずれかに記載の吸収体物品。
【請求項１４】
前記尿便分離部材と前記液ガイドユニットとが結合している、請求項１３に記載の吸収体物品。
【請求項１５】
更に、前記防漏体の前記側面部の端部に沿って側縁帯を有する、請求項１〜１４のいずれかに記載の吸収体物品。
【請求項１６】
前記側縁帯の少なくとも一部が伸縮性を有する、請求項１５に記載の吸収体物品
【請求項１７】
前記側縁帯と前記液ガイドユニットの左右端部とが、直接に又は結合部材により結合している、請求項１５又は１６に記載の吸収体物品。
【請求項１８】
前記側縁帯と前記液ガイドユニットの左右端部とを結合させる前記結合部材が伸縮性を有する、請求項１７に記載の吸収体物品。
【請求項１９】
前記液ガイドユニットを下側から支持するサポート部材を有する、請求項１〜１８のいずれかに記載の吸収体物品。
【請求項２０】
前記吸収体がシート状吸収体であり、前記シート状吸収体が前記サポート部材として機能している、請求項１９に記載の吸収体物品。
【請求項２１】
前記サポート部材の少なくとも一部が伸縮性を有する、請求項１９に記載の吸収体物品。
【請求項２２】
更に、前記防漏体の前端部及び後端部に、ウエストバンドを有し、前記ウエストバンドと前記液ガイドユニットとが、直接に又は結合部材により結合している、請求項１〜２１のいずれかに記載の吸収体物品。
【請求項２３】
前記液ガイドユニットと前記ウエストバンドとを結合させる結合部材が伸縮性を有する、請求項２２に記載の吸収体物品。
【請求項２４】
前記吸収体が前記高吸水性樹脂を５０質量％以上含有する高吸水性シートである請求項１〜２３のいずれかに記載の吸収体物品。
【発明の詳細な説明】
【技術分野】
【０００１】
本発明は、吸収効率に優れ、かつ、排出物によって着用者の肌表面が汚れない吸収体物品に関する。
【背景技術】
【０００２】
紙おむつ等の吸収体物品は、木材パルプ、高吸水性樹脂（Ｓｕｐｅｒ  Ａｂｓｏｒｂｅｎｔ  Ｐｏｌｙｍｅｒ、以下「ＳＡＰ」ともいう。）等の吸収成分を用いた吸収体により着用者から排出された尿を吸収し、また、便（大便）を受容する物品である。
吸収体物品においては、長時間の使用に耐えることができるように、また、尿漏れが生じないように、十分な尿の吸収能力を有することが望まれている。そこで、吸収体物品に尿の吸収能力を持たせるために、吸収体の量を多くする方法が通常採られる。
しかしながら、吸収体の量を多くするだけでは、以下のような問題が残る。まず、吸収体の利用効率が悪くなる。すなわち、尿が排出される場所に近い部分の吸収体のみが尿を吸収し、尿が排出される場所から遠い部分の吸収体が尿の吸収に利用されなくなるため、吸収体全量のうち、尿の吸収に用いられるものの割合が低くなる。つぎに、尿の吸収量が多くなるに従って、特に、尿の吸収量が吸収容量の設計限界に近づくにつれ、吸収体からトップシートへの尿の戻り量、すなわち、リウェット量が増大するという問題がある。リウェット量が多いと、尿の排出時及び排出後における着用者の体表面の水分存在量を増大させ、蒸れやすく着用感を悪くするとともに、いわゆるおむつかぶれの主因ともなる。【０００３】
また、近年、尿の吸収能力に優れるだけでなく、蒸れ、かぶれ、臭い等の問題を防止することを目的とした種々の吸収体物品が提案されている。さらに、使用後の処理を簡便に、かつ、衛生的に行うことができることを目的とした吸収体物品も提案されている。
例えば、特許文献１〜４には、吸収体物品の表面の前部に尿用、後部に便用の各開口を設けて、尿と便とを別々に収容することを目的とした吸収体物品、吸収体物品の中央部付近に仕切部材（尿便分離部材）を設けて、尿と便との混合を防止することを目的とした吸収体物品等のいわゆる尿便分離おむつが記載されている。
しかしながら、特許文献１〜４に記載されている吸収体物品のように、前部を尿専用、後部を便専用とするのでは、尿の吸収能力を十分に持たせるだけの吸収体の量を配置することが困難である。特に、尿の排出回数が便の排出回数より多いという実態があるので、尿の吸収能力が重要となってくる。【０００４】
【特許文献１】特開平６−３２７７１５号公報
【特許文献２】特表平９−５１０３８４号公報
【特許文献３】特表平９−５１０３８５号公報
【特許文献４】特開平１１−１１３９５８号公報
【発明の開示】
【発明が解決しようとする課題】
【０００５】
これに対して、本発明者は、シート状の第１防漏体と、前記第１防漏体の上部の後部に存在するシート状の第２防漏体と、前記第１防漏体の上部の前部から前記第２防漏体の下側に至るまで、少なくとも１層配置された、高吸水性樹脂を含有し体液を吸収しうる吸収体とを具備する吸収体物品を提案した（特願２００６−５５３０８号）。この吸収体物品は、その後部において、第１防漏体の上に第２防漏体を有し、第１防漏体で尿を吸収し、第２防漏体で便を収容するという、いわば「二階建て構造」にすることにより、尿の吸収能力を十分に保ちつつ、尿と便との分離処理を可能にすることを目的とするものである。【０００６】
しかしながら、このような「二階建て構造」の吸収体物品においても、吸収体の利用効率を高くする必要がある。【０００７】
本発明者は、上記問題に対して、更に検討を加えたところ以下の知見を得た。
すなわち、吸収体の量を多くすると吸収体の利用効率が悪くなる点については、着用者の股下狭窄部で吸収体が圧縮され、変形して尿の移動が妨害されるため、吸収体の後身頃に配置されている部分には尿が到達しないことが主な理由であることが分かった。従来の吸収体物品では、吸収体全量のうち、実際に尿の吸収に用いられている量の割合は５０質量％前後と極めて低いレベルに留まるのである。
また、従来の吸収体物品では尿道口と排出された尿が最初に接触する表面との距離や位置関係が、男女の性別、体位、身体の動作、着用時の装着状態等によって、変化する（例えば、尿道口と吸収体物品の表面とが接触したり離間したり、距離が近くなったり遠くなったりする。また、位置関係が前後左右にずれる。）。そのため、尿道口から吸収体物品への液の移動状態（移動経路等）は常に不規則である。その対策として、従来の吸収体物品では、幅や長さのサイズに余裕をもたせ、かつ、吸収体の設計容量に十分に余裕をもたせないと、漏れの発生を防止することができない。近年、吸収体物品の需要は高吸水性樹脂の大量添加に伴いますます超薄型に移行しており、それにともない、嵩高なフラッフパルプ主体の吸収体を用いる従来の吸収体物品に特有のクッション性による、尿道口と吸収体物品との距離や位置関係の変化への対応を利用することができなくなっており、上述した吸収体の量を多くすると吸収体の利用効率が悪くなるという問題の解決の重要性が増している。【０００８】
したがって、本発明は、吸収体の利用効率に優れる吸収体物品を提供することを目的とする。
【課題を解決するための手段】
【０００９】
本発明者は、上記目的を達成すべく鋭意研究した結果、排出された尿の流れが直接当たる位置に配置され、尿が排出された場合に尿の流れが当たった位置から他の位置に移動させる液ガイドユニットを設けることにより、尿の排出されたときの勢いを利用して、尿を排出された位置から移動させることが可能となり、ひいては吸収体の利用効率が優れたものになることを見出し、本発明を完成させた。【００１０】
すなわち、本発明は、以下の（１）〜（２４）を提供する。
（１）前後方向に延在する底面部と前記底面部の左右両側において上側に立ち上がっている側面部とを有する防漏体と、
前記防漏体の前記底面部と前記側面部とにより形成される内部空間に少なくとも１層配置された、高吸水性樹脂を含有し体液を吸収しうる吸収体と、
前記内部空間の前身頃部において、排出された尿の流れが直接当たる位置に配置され、尿が排出された場合に尿の流れが当たった位置から他の位置に移動させる液ガイドユニットと
を具備する、吸収体物品。
（２）前記液ガイドユニットがシート状である、上記（１）に記載の吸収体物品。
（３）前記液ガイドユニットが、幅１０〜１００ｍｍ、長さ２０〜２００ｍｍ、厚さ０．１〜２ｍｍである、上記（２）に記載の吸収体物品。
（４）前記液ガイドユニットの周縁部の一部が、前記吸収体物品の他の部分に結合していない、上記（２）又は（３）に記載の吸収体物品。
（５）前記液ガイドユニットが開口フィルムにより構成されている上記（２）〜（４）のいずれかに記載の吸収体物品。
（６）前記液ガイドユニットの少なくとも一部がクッション性を有する、上記（２）〜（４）のいずれかに記載の吸収体物品。
（７）前記液ガイドユニットが嵩高不織布により構成されている上記（６）に記載の吸収体物品。
（８）前記液ガイドユニットの少なくとも一部が伸縮性を有する、上記（２）〜（４）のいずれかに記載の吸収体物品。
（９）前記液ガイドユニットが伸縮性ネットにより構成されている上記（８）に記載の吸収体物品。
（１０）前記液ガイドユニットが、凹面を上側に有する発泡成形体により構成されている、上記（１）に記載の吸収体物品。【００１１】
（１１）更に、前記吸収体の上側にスキンコンタクトシートを有する、上記（１）〜（１０）のいずれかに記載の吸収体物品。
（１２）前記液ガイドユニットの後端部と前記スキンコンタクトシートとが結合している、上記（１１）に記載の吸収体物品。
（１３）更に、前記防漏体の前後方向の中央部近傍に、尿便分離部材を有し、前記尿便分離部材により、前記内部空間の前身頃が尿受容部、前記内部空間の後身頃が便受容部として機能している、上記（１）〜（１２）のいずれかに記載の吸収体物品。
（１４）前記尿便分離部材と前記液ガイドユニットとが結合している、上記（１３）に記載の吸収体物品。
（１５）更に、前記防漏体の前記側面部の端部に沿って側縁帯を有する、上記（１）〜（１４）のいずれかに記載の吸収体物品。
（１６）前記側縁帯の少なくとも一部が伸縮性を有する、上記（１５）に記載の吸収体物品
（１７）前記側縁帯と前記液ガイドユニットの左右端部とが、直接に又は結合部材により結合している、上記（１５）又は（１６）に記載の吸収体物品。
（１８）前記側縁帯と前記液ガイドユニットの左右端部とを結合させる前記結合部材が伸縮性を有する、上記（１７）に記載の吸収体物品。
（１９）前記液ガイドユニットを下側から支持するサポート部材を有する、上記（１）〜（１８）のいずれかに記載の吸収体物品。
（２０）前記吸収体がシート状吸収体であり、前記シート状吸収体が前記サポート部材として機能している、上記（１９）に記載の吸収体物品。
（２１）前記サポート部材の少なくとも一部が伸縮性を有する、上記（１９）に記載の吸収体物品。
（２２）更に、前記防漏体の前端部及び後端部に、ウエストバンドを有し、前記ウエストバンドと前記液ガイドユニットとが、直接に又は結合部材により結合している、上記（１）〜（２１）のいずれかに記載の吸収体物品。
（２３）前記液ガイドユニットと前記ウエストバンドとを結合させる結合部材が伸縮性を有する、上記（２２）に記載の吸収体物品。
（２４）前記吸収体が前記高吸水性樹脂を５０質量％以上含有する高吸水性シートである上記（１）〜（２３）のいずれかに記載の吸収体物品。
【発明の効果】
【００１２】
本発明の吸収体物品は、吸収体の利用効率が優れる。
【図面の簡単な説明】
【００１３】
【図１】液ガイドユニットの配置の例を示す模式的な縦端面図である。
【図２】本発明の吸収体物品を着用者が装着した状態の模式図である。
【図３】液ガイドユニットの構造及び機能の例を示す模式図である。
【図４】種々の液ガイドユニットとサポート部材との組合せの例を示す模式的な縦端面図である。
【図５】種々の液ガイドユニットとサポート部材との組合せの例を示す模式的な縦端面図である。
【図６】種々の液ガイドユニットとサポート部材との組合せの例を示す模式的な縦端面図である。
【図７】シート状の液ガイドユニットの周縁部の吸収体物品の他の部分との結合の有無を示す模式的な平面図である。
【図８】開口フィルムにより構成されている液ガイドユニットとスキンコンタクトシートとを有する組合せを示す模式的な平面図及び前記平面図中のＸ−Ｘ′線に沿った横端面図である。
【図９】開口フィルムにより構成されている液ガイドユニットとスキンコンタクトシートとを有する組合せを示す模式的な平面図及び前記平面図中のＸ−Ｘ′線に沿った横端面図である。
【図１０】開口フィルムにより構成されている液ガイドユニットとサポート部材とを有する組合せを示す模式的な平面図及び前記平面図中のＸ−Ｘ′線に沿った横端面図である。
【００１４】
【図１１】開口フィルムにより構成されている液ガイドユニットとサポート部材とを有する組合せを示す模式的な平面図及び前記平面図中のＸ−Ｘ′線に沿った横端面図である。
【図１２】嵩高不織布により構成されている液ガイドユニットとサポート部材とを有する組合せを示す模式的な平面図及び前記平面図中のＸ−Ｘ′線に沿った横端面図である。
【図１３】開口フィルムにより構成されている液ガイドユニットと側縁帯とを有する組合せを示す模式的な平面図及び前記平面図中のＸ−Ｘ′線に沿った横端面図である。
【図１４】開口フィルムにより構成されている液ガイドユニットと側縁帯とを有する組合せを示す模式的な平面図及び前記平面図中のＸ−Ｘ′線に沿った横端面図である。
【図１５】嵩高不織布により構成されている液ガイドユニットと側縁帯とを有する組合せを示す模式的な平面図及び前記平面図中のＸ−Ｘ′線に沿った横端面図である。
【図１６】開口フィルムにより構成されている液ガイドユニットと側縁帯とサポート部材とを有する組合せを示す模式的な平面図及び前記平面図中のＹ−Ｙ′線に沿った縦端面図である。
【図１７】開口フィルムにより構成されている液ガイドユニットと側縁帯とサポート部材とを有する組合せを示す模式的な平面図及び前記平面図中のＸ−Ｘ′線に沿った横端面図である。
【図１８】開口フィルムにより構成されている液ガイドユニットとサポート部材とを有する組合せを示す模式的な平面図及び前記平面図中のＸ−Ｘ′線に沿った横端面図である。
【図１９】開口フィルムにより構成されている液ガイドユニットとサポート部材とを有する組合せを示す模式図である。
【図２０】発泡成形体により構成されている液ガイドユニットと側縁帯とを有する組合せを示す模式図である。
【００１５】
【図２１】発泡成形体により構成されている液ガイドユニットと側縁帯とを有する別の組合せを示す模式的な斜視図である。
【図２２】本発明の吸収体物品の一例における尿の移動の状態を説明する模式図である。
【図２３】本発明の吸収体物品の別の一例における尿の移動の状態を説明する模式図である。
【図２４】図２３に示される本発明の吸収体物品における尿の移動の状態を説明する模式的な縦端面図である。
【図２５】本発明の吸収体物品の更に別の一例を示す模式図である。
【図２６】本発明の吸収体物品の更に別の一例を示す模式図である。
【図２７】本発明の吸収体物品の更に別の一例を示す模式図である。
【図２８】本発明の吸収体物品の更に別の一例を示す模式図である。
【図２９】本発明の吸収体物品の更に別の一例を示す模式図である。
【図３０】本発明の吸収体物品の更に別の一例を示す模式図である。
【００１６】
【図３１】本発明の吸収体物品の更に別の一例を示す模式図である。
【図３２】本発明の吸収体物品の更に別の一例を示す模式図である。
【図３３】本発明の吸収体物品の更に別の一例を示す模式図である。
【図３４】本発明の吸収体物品の更に別の一例を示す模式図である。
【図３５】本発明の吸収体物品の更に別の一例を示す模式図である。
【図３６】本発明の吸収体物品の更に別の一例を示す模式図である。
【図３７】本発明の吸収体物品の更に別の一例を示す模式図である。
【図３８】本発明の吸収体物品の更に別の一例を示す模式図である。
【図３９】実施例１の吸収体物品の便受容用吸収体に用いられた薄型高吸水性シートの模式的な横端面図である。
【符号の説明】
【００１７】
１、１ａ〜１ｈ  吸収体物品
１０、１０ａ〜１０ｋ  液ガイドユニット
１２、１２ａ〜１２ｅ  防漏体
１４、１４ｂ  吸収体
１４ａ  便受容用吸収体
１６、１６ａ〜１６ｓ  サポート部材
１８、１８ａ〜１８ｋ  スキンコンタクトシート
２０、２０ａ  伸縮性部材
２４  側縁帯
２６、２６ａ、２６ｂ  結合部材
２８、２８ａ、２８ｂ  尿便分離部材
３０  便バリア
３２、３２ａ、３２ｂ  ウエストバンド
３４、３４ａ、３４ｂ  結束部
３６  ウエストバリアシート
３８  便受容シート
４０  疎水性ＳＭＳ不織布
４２  ティッシュペーパー
４４  ポリエステルウェブ
４６  ＳＡＰ層
Ａ  肛門
Ｃ  陰核
Ｉ  膣口
Ｍ  尿道口
Ｐ  ペニス
ｐ  会陰
Ｒ  便受容部
Ｓ  陰嚢
Ｕ  臍
【発明を実施するための最良の形態】
【００１８】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の上側に吸収体物品等の前側が位置するように図示してあり、添付した図面中の各縦端面図においては、図の左側に吸収体物品等の前側が位置するように図示してある。【００１９】
本発明の吸収体物品は、基本的に、前後方向に延在する底面部と前記底面部の左右両側において上側に立ち上がっている側面部とを有する防漏体と、前記防漏体の前記底面部と前記側面部とにより形成される内部空間に少なくとも１層配置された、高吸水性樹脂を含有し体液を吸収しうる吸収体と、前記内部空間の前身頃部において、排出された尿の流れが直接当たる位置に配置され、尿が排出された場合に尿の流れが当たった位置から他の位置に移動させる液ガイドユニットとを具備する。【００２０】
防漏体の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、スポットボンドタイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、マイクロウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。【００２１】
防漏体は、複数の部材から構成されていてもよい。【００２２】
防漏体は、上述したように、前後方向に延在する底面部と前記底面部の左右両側において上側に立ち上がっている側面部とを有する。側面部は、左右対称であるのが好ましい。
防漏体の底面部と側面部とにより、内部空間が形成されている。【００２３】
内部空間には、吸収体が配置されている。
本発明に用いられる吸収体は、高吸水性樹脂を含有し体液を吸収しうるものであれば特に限定されず、例えば、粉末状の木材パルプ、無加工のＳＡＰ等の粉体状吸収体を用いることもできるが、形態安定性、脱落の可能性等を考慮すると、シート状吸収体が好ましい。中でも、不織布上に前記高吸水性樹脂をコーティングしてなるシート状吸収体が好ましい。
吸収体の種類は、用途に応じて適宜選択することができる。例えば、本発明の吸収体物品を子ども用おむつとする場合、新生児用や月齢の低い乳児用（大きさで言えば、Ｓサイズ）としては、木材パルプの含有量が多いものが好ましく、また、月齢の高い乳幼児用（大きさで言えば、Ｍサイズ、Ｌサイズやビッグサイズ）としては、ＳＡＰの含有量が多いものが好ましい。【００２４】
シート状吸収体の中でも、ＳＡＰを５０質量％以上、好ましくは６０〜９５質量％含有する高吸水性シートであるのが好ましい態様の一つである。
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水溶性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。【００２５】
吸収体は、少なくとも１層配置される。即ち、吸収体は、１層であってもよく、２層以上（複数層）であってもよい。
また、吸収体は、折りたたんだ状態で配置することもできる。【００２６】
また、内部空間の前身頃部においては、液ガイドユニットが配置されている。液ガイドユニットは、排出された尿の流れが直接当たる位置に配置され、尿が排出された場合に尿の流れが当たった位置から他の位置に移動させる。
図１は、液ガイドユニットの配置の例を示す模式的な縦端面図である。図１においては、左側が吸収体物品の前側に相当する。また、図１においては、吸収体物品の液ガイドユニット以外の部分は省略されている。
図１（Ａ）は、着用者が男児の場合、図１（Ｂ）は、着用者が女児の場合を示している。着用者における臍Ｕ、ペニスＰ、陰嚢Ｓ、陰核Ｃ、尿道口Ｍ、膣口Ｉ、会陰ｐ及び肛門Ａの位置関係は、図１（Ａ）及び図１（Ｂ）に示されるとおりである。
図１（Ａ）及び図１（Ｂ）に示されるように、液ガイドユニット１０は、尿道口Ｍの付近に配置され、排出された尿の流れが直接当たるようになっている。また、液ガイドユニット１０は、尿道口Ｍの付近から周辺に広がって存在しており、これにより、尿が排出された場合に、尿の流れが当たった位置から、尿を他の位置に移動させるようになっている。したがって、図１に示される液ガイドユニット１０を用いた吸収体物品は、吸収体の利用効率が優れる。【００２７】
液ガイドユニットの表面と尿道口との距離は、０〜２０ｍｍであるのが好ましく、０〜５ｍｍであるのがより好ましい。ここで、液ガイドユニットの表面と尿道口との距離が０ｍｍであるとは、液ガイドユニットの表面が尿道口に接触している状態を意味し、圧力がかかることによって接触している状態を含む。
液ガイドユニットは排出された尿が最初に接触する部位であり、液ガイドユニットの表面と尿道口との距離が上記範囲であると、尿が液ガイドユニットにあたる位置が一定になり、液ガイドユニットの機能が発揮されやすくなる。また、尿は勢いをもって排出されるため、液ガイドユニットの表面と尿道口とが近接していると、排出方向や位置があまり変化せず、そのため、尿を安定に受容することができるとともに、尿を均一に分配することができる。さらに、液ガイドユニットの表面と尿道口とが近接していると、着用者の身体の動きがあっても、尿が液ガイドユニットにあたる位置がずれにくい。【００２８】
成人男性の場合には、着用時におけるペニスの変位及び変形が大きいため、ペニスの先端から根元にかけて、ペニスの上面に液ガイドユニットの表面を接触させ、ペニスの先端が下向きになるようにするのが好ましい。【００２９】
図２は、本発明の吸収体物品を着用者が装着した状態の模式図である。図２（Ａ）及び図２（Ｂ）は、それぞれ、着用者が男児の場合の正面図及び縦端面図であり、図２（Ｃ）及び図２（Ｄ）は、それぞれ、着用者が女児の場合の正面図及び縦端面図である。着用者における臍Ｕ、ペニスＰ、陰嚢Ｓ、陰核Ｃ、尿道口Ｍ、膣口Ｉ、会陰ｐ及び肛門Ａの位置関係は、図２（Ａ）〜図２（Ｄ）に示されるとおりである。
図２に示される吸収体物品１は、防漏体１２と、吸収体１４と、液ガイドユニット１０とを具備する。
図２（Ｂ）及び図２（Ｄ）に示されるように、液ガイドユニット１０は、吸収体１４と離間した配置（非接触状態）となっているのが好ましい。このように、液ガイドユニットを他の構成要素とは独立した位置に保つことによって、液ガイドユニットにより排出された尿の流れを制御した状態にして、目的とする部位の吸収体に供給させることができる。【００３０】
図３は、液ガイドユニットの構造及び機能の例を示す模式図である。図３（Ａ）は斜視図であり、図３（Ｂ）及び図３（Ｃ）はそれぞれ縦端面図である。
図３（Ａ）に示される液ガイドユニット１０は、シート状（帯状）であり、左右方向（Ｘ方向）の幅がＰ、前後方向（Ｙ方向）の長さがＱ、上下方向（Ｚ方向）の厚さがＲである。
図３においては、尿道口から排出された尿は、液ガイドユニットの上表面に直接当たり、その後、液ガイドユニットが液不透過タイプの液ガイドユニット１０ａである場合にはＸ方向及びＹ方向で規定される平面上を移動し（図３（Ｂ）参照。）、液ガイドユニットが液透過タイプの液ガイドユニット１０ｂである場合にはＸ方向、Ｙ方向及びＺ方向で規定される３次元を移動する（図３（Ｃ）参照。）。【００３１】
従来の吸収体物品は、このような液ガイドユニットを有さず、吸収体の上に液透過性の表面シートが配置された構造を有する。この場合、排出された尿は、まず表面シートを主にＺ方向に透過し、吸収体内部に移動してからＸ方向及びＹ方向に拡散する。したがって、尿の移動の範囲は狭くなる。【００３２】
液ガイドユニットは、上記機能を奏するものであれば構造、材料等を特に限定されない。
好ましい構造の液ガイドユニットとして、シート状の液ガイドユニットが挙げられる。シート状の液ガイドユニットは、幅Ｐが１０〜１００ｍｍ、長さＱが２０〜２００ｍｍ、厚さＲが０．１〜２ｍｍであるのが好ましい。
シート状の液ガイドユニットは、材料を特に限定されず、例えば、フィルム、ネット、不織布、織物、編物、これらの組合せにより構成することができる。【００３３】
液ガイドユニットは、その少なくとも一部が伸縮性を有していてもよく、伸縮性材料と組み合わせて用いてもよい。これらの場合、液ガイドユニットが着用者の体位の変化や身体の動きに応じて微妙な追従性を示し、液ガイドユニットの位置が常に一定に保たれやすくなる。【００３４】
また、液ガイドユニットは、その少なくとも一部がクッション性を有していてもよく、クッション性材料と組み合わせて用いてもよい。これらの場合、液ガイドユニット自体又は液ガイドユニットとクッション性材料との組合せが、厚さが容易に変化することができるので、液ガイドユニットが着用者の体位の変化や身体の動きに応じて微妙な追従性を示し、液ガイドユニットの位置が常に一定に保たれやすくなる。【００３５】
液ガイドユニットがシート状である場合の具体的な構造としては、例えば、開口フィルム、嵩高不織布、伸縮性ネットが好適に挙げられる。【００３６】
開口フィルムは、多数の開口を有するフィルムである。開口フィルムは、開口を液が通過することにより液透過性を示し、また、開口以外の部分を液が移動することにより液体分配機能を奏する。
開口フィルムとしては、例えば、本発明者が国際公開第０２／０６５９６５号パンフレットにおいて提案したような、直径０．５ｍｍ以上の比較的大きな開口と導入管とを備えるポリオレフィン系フィルムが挙げられる。このポリオレフィン系フィルムは、厚さが１ｍｍ以上であるのが好ましい。また、このポリオレフィン系フィルムは、尿の馴染みや濡れ性を優れたものにするため、活性剤等により表面親水化加工を施されているのが好ましい。【００３７】
嵩高不織布は、見掛け比重が０．２ｇ／ｃｍ3以下の不織布である。嵩高不織布は、エアスルー法、スポットボンド法の乾式法で得ることができる。
嵩高不織布は、ポーラス性が高く、液浸透性を示し、また、尿一時保有機能を奏するアクイジション層として機能するものであってもよい。
嵩高不織布は、例えば、トップシートに接してサブレイヤーとして利用されているものであってもよい。【００３８】
また、本発明においては、より嵩高で、かつ、よりポーラス性の高いものが好ましい。例えば、ＰＥ繊維、ＰＰ繊維、ＰＥＴ繊維、ＰＥ／ＰＥＴ複合繊維、ＰＥＴ／ＰＥＴ複合繊維等の合成繊維であって、繊度が好ましくは３ｄ以上、より好ましくは５ｄ以上で中空構造を有する合成繊維から構成され、見掛け比重が０．０１〜０．１ｇ／ｃｍ3、無荷重時での厚さが１〜５ｍｍの不織布が挙げられる。【００３９】
伸縮性ネットは、少なくとも一方向に伸縮性を有する網状物である。
伸縮性は、網状物の材料自体の伸縮性に起因していてもよく、網状物の構造により付与されていてもよく（例えば、ナイロンフィラメントをメリヤス編みにした網状物）、両者の組合せでもよい。
伸縮性ネットとしては、例えば、伸縮性のポリウレタンフィラメントからなるネット、ナイロンとポリウレタンフィラメントとの交織ネット、女性用パンティストッキング等に用いられる伸縮性ネット、縦系としてＰＥモノフィラメント（例えば、３０ｄ）、横系としてＳＥＢＳエラストマーからなるゴム糸（例えば、５０ｄ）を交織した一方向伸縮性ネット（例えば、米国Ｃｏｎｗｅｄ  Ｐｌａｓｔｉｃｓ社製）が好適に挙げられる。【００４０】
液ガイドユニットは、サポート部材と組み合わせて用いられるのが好ましい態様の一つである。具体的には、液ガイドユニットがサポート部材により下側から支持されているのが好ましい。
サポート部材は、液ガイドユニットの形態安定性を向上させる機能、液ガイドユニットを尿道口に近接した位置に保持する機能、液ガイドユニットが液透過性である場合にその下面の一部をブロックして液不透過性とする機能、液ガイドユニットと吸収体との間に空間を確保する機能等を奏する。
サポート部材として用いられる材料としては、例えば、糸状又は紐状になった繊維材料、フィルム状又はマット状のプラスチック材料、クッション性を有する、ポリエチレン、プロピレン、ウレタン等の発泡体が挙げられる。吸収能力を増強させる手段の一つとして、サポート部材としてシート状吸収体を用いるのも本発明の一つの態様である。
また、サポート部材の少なくとも一部が伸縮性を有するのも好ましい態様の一つである。この場合、サポート部材が液ガイドユニットを着用者の尿道口付近に押しつける機能を奏する。
少なくとも一部が伸縮性を有するサポート部材としては、伸縮性ネット、並列に配置された糸ゴム、伸縮性ウレタンフィルム、伸縮性ウレタンフォームシートが挙げられる。【００４１】
図４〜図６は、種々の液ガイドユニットとサポート部材との組合せの例を示す模式的な縦端面図である。
図４（Ａ）に示される液ガイドユニットとサポート部材との組合せは、液ガイドユニット１０ｃが液透過性の開口フィルムであり、サポート部材１６ａが液透過性の伸縮性ネットである。
図４（Ｂ）に示される液ガイドユニットとサポート部材との組合せは、液ガイドユニット１０ｃが液透過性の開口フィルムであり、サポート部材１６ｂが左右方向に並列に配置された糸ゴムである。
図４に示される液ガイドユニットとサポート部材との組合せは、いずれもサポート部材が液ガイドユニットを着用者の尿道口付近に押しつける機能を奏する。また、図４に示される液ガイドユニットとサポート部材との組合せは、いずれも液透過性を有する。【００４２】
図５（Ａ）に示される液ガイドユニットとサポート部材との組合せは、液ガイドユニット１０ｄが液透過性の嵩高不織布であり、サポート部材１６ｃが液不透過性の伸縮性ウレタンフィルムである。
図５（Ｂ）に示される液ガイドユニットとサポート部材との組合せは、液ガイドユニット１０ｅが液透過性の伸縮性ネットであり、吸収体として用いられるシート状吸収体がサポート部材１６ｄとして機能している。
図５（Ｃ）に示される液ガイドユニットとサポート部材との組合せは、液ガイドユニット１０ｃが液透過性の開口フィルムであり、サポート部材１６ｅが液不透過性の伸縮性ウレタンフォームシートである。
図５に示される液ガイドユニットとサポート部材との組合せは、いずれもサポート部材が、液ガイドユニットの形状保持に寄与するとともに、液ガイドユニットの下面の一部又は全部をブロックしてその部分を液不透過性としている。【００４３】
図６（Ａ）に示される液ガイドユニットとサポート部材との組合せは、液ガイドユニット１０ｄが嵩高不織布であり、サポート部材１６ｆがクッション性ウレタンフォームの突起状成型ブロック（例えば、厚さ１５ｍｍ）である。
図６（Ｂ）に示される液ガイドユニットとサポート部材との組合せは、液ガイドユニット１０ｃが開口フィルムであり、サポート部材１６ｇがネット状発泡体（例えば、厚さ１０ｍｍ）である。
図６に示される液ガイドユニットとサポート部材との組合せは、いずれもサポート部材が液ガイドユニットを着用者の尿道口付近に近接させる機能を奏するとともに、サポート部材の下側に存在する吸収体と、液ガイドユニットとの間の空間を確保する機能を奏する。【００４４】
サポート部材は、左右両側の側縁帯を架橋するように結合しているのが好ましい態様の一つである（図１６及び図１７参照。）。【００４５】
液ガイドユニットは、上述したように、防漏体の底面部と側面部とにより形成される内部空間の前身頃部において配置されるが、通常、吸収体物品の他の部分（例えば、スキンコンタクトシート、ウエストバンド、尿便分離部材、防漏体の側面部の端部に沿って設けられる側縁帯）と結合している。
ここで、液ガイドユニットがシート状である場合、液ガイドユニットが尿道口との位置関係を一定に保つためには、液ガイドユニットの周縁部の一部が、吸収体物品の他の部分に結合していないのが好ましい。
着用時においては、本発明の吸収体物品の全体の形状は、着用者の動作や体位により絶えず変化する。特に、本発明の吸収体物品が、子ども用おむつとして用いられる場合には、その傾向が大きい。液ガイドユニットの周縁部の一部が、吸収体物品の他の部分に結合していないと、吸収体物品の形状の変化と液ガイドユニットの形状、ひいては尿道口との位置関係の変化との関連性を低くすることができ（いわば、液ガイドユニットの自由度が高くなり）、その結果、着用者の動きの影響を効果的に排除することが可能となる。【００４６】
図７は、シート状の液ガイドユニットの周縁部の吸収体物品の他の部分との結合の有無を示す模式的な平面図である。図７において、液ガイドユニットの周縁部と吸収体物品の他の部分との結合部は、複数の平行線で示されている。また、図７においては、吸収体物品の液ガイドユニット以外の部分は省略されている。
図７（Ａ）に示される液ガイドユニット１０は、前端部ａ、左右端部ｂ1及びｂ2並びに後端部ｃのいずれもが吸収体物品の他の部分と結合していない。この態様においては、例えば、シート状の液ガイドユニットの裏側の中央部で、吸収体物品の他の部分と結合させることにより、液ガイドユニットを固定することができる（図７（Ｂ）〜図７（Ｇ）に示される各態様においても同様である。）。
図７（Ｂ）に示される液ガイドユニット１０は、前端部ａが吸収体物品の他の部分と結合しており、左右端部ｂ1及びｂ2並びに後端部ｃが吸収体物品の他の部分と結合していない。
図７（Ｃ）に示される液ガイドユニット１０は、後端部ｃが吸収体物品の他の部分と結合しており、前端部ａ並びに左右端部ｂ1及びｂ2が吸収体物品の他の部分と結合していない。
図７（Ｄ）に示される液ガイドユニット１０は、前端部ａ及び後端部ｃが吸収体物品の他の部分と結合しており、左右端部ｂ1及びｂ2が吸収体物品の他の部分と結合していない。
図７（Ｅ）に示される液ガイドユニット１０は、左右端部ｂ1及びｂ2が吸収体物品の他の部分と結合しており、前端部ａ及び後端部ｃが吸収体物品の他の部分と結合していない。
図７（Ｆ）に示される液ガイドユニット１０は、左右端部ｂ1及びｂ2並びに後端部ｃが吸収体物品の他の部分と結合しており、前端部ａが吸収体物品の他の部分と結合していない。
図７（Ｇ）に示される液ガイドユニット１０は、前端部ａ並びに左右端部ｂ1及びｂ2が吸収体物品の他の部分と結合しており、後端部ｃが吸収体物品の他の部分と結合していない。【００４７】
本発明の吸収体物品は、更に、前記防漏体の前後方向の中央部近傍に、尿便分離部材を有し、前記尿便分離部材により、前記内部空間の前身頃が尿受容部、前記内部空間の後身頃が便受容部として機能しているのが好ましい態様の一つである。尿便分離部材は、内部空間を前後に仕切り、物理的に、尿及び便の移動を妨げることができるものであれば、特に限定されない。例えば、接着剤、ゴム、フィルム、フォーム（発泡体）、不織布、ネット状シートが挙げられる。
この場合、液ガイドユニットが尿便分離部材と結合しているのは、本発明の好ましい態様の一つである。
液ガイドユニットの後端部は、直接に又はサポート部材を介して、尿便分離部材の下部で（図３２（Ａ）参照。）、又はそれより後ろの位置で（図２８（Ａ）参照。）、吸収体（又は吸収体と接しているスキンコンタクトシート）の表面と結合しているのが好ましい。この態様においては、液ガイドユニットに当たった置から後方に移動してきた尿が、更に後身頃にある吸収体へと移動しやすくなる。【００４８】
液ガイドユニットが側縁帯と結合しているのは、本発明の好ましい態様の一つである。
側縁帯は、防漏体の側面部の端部に沿って設けられる部材であって、着用者の体表面と密着した状態を保つ機能を奏する。側縁帯としては、例えば、複数本の合成ゴム糸、ウレタンフィラメント等を並列に配置したもの、幅２〜２０ｍｍの弾性フィルムを２枚の不織布に挿み込んだものが挙げられる。【００４９】
中でも、側縁帯と液ガイドユニットの左右端部とが、直接に又は結合部材により結合しているのが好ましい（図１３〜図１７、図２０及び図２１参照。）。
この場合、結合部材が、伸縮性を有するのが好ましい態様の一つである（図１３（Ｂ）及び図２０参照。）。これによって、上記のハンモックのような宙吊り構造において、更に伸縮性を付与することができるため、着用者の体位や動作が変化しても液ガイドユニットの位置をより一定に保つことができる。【００５０】
側縁帯は、少なくとも一部が伸縮性を有するのが好ましい態様の一つである。
この態様においては、側縁帯と着用者の体表面との間に隙間が生じにくくなるため、密着状態がより保たれやすくなる。【００５１】
液ガイドユニットがウエストバンドと結合しているのは、本発明の好ましい態様の一つである。
ウエストバンドは、着用時に着用者の胴体が入るためのウエストホールを形成する。ウエストバンドは、防漏体の前端部及び／又は後端部に設けられる。ウエストバンドが防漏体の前端部又は後端部に設けられている場合は、ウエストバンドの左右端部にフック材及びループ材の一方を有し、防漏体の後部又は前部にフック材及びループ材の他方を有する。そして、フック材とループ材とが結合することにより、ウエストホールを形成するようになっている。ウエストバンドが防漏体の前端部及び後端部に設けられている場合は、一方のウエストバンドの左右端部にフック材、他方のウエストバンドの左右端部にループ材をそれぞれ有する。そして、フック材とループ材とが結合することにより、ウエストホールを形成するようになっている。
ウエストバンドは、例えば、１５本のウレタンフィラメント（例えば、東レデュポン社製、４７０ｄｔｅｘ）を２枚のＳＭＳ（例えば、Ａｖｇｏｌ社製、目付量１３ｇ／ｍ2）で挟み込んだ構造を有している。【００５２】
中でも、防漏体の前端部及び後端部にウエストバンドが設けられ、ウエストバンドと液ガイドユニットとが、直接に又は結合部材により結合しているのが好ましい（図８（Ａ）、図９、図１０（Ｂ）、図１１及び図１２（Ｂ）参照。）。これによって、液ガイドユニットが前端部及び後端部で吊られ、ハンモックのような宙吊り構造となり、液ガイドユニットと尿道口との近接状態が安定に保たれる。
この場合、結合部材が、伸縮性を有するのが好ましい態様の一つである（図９（Ｂ）及び図１１参照。）。これによって、上記のハンモックのような宙吊り構造において、更に伸縮性を付与することができるため、着用者の体位や動作が変化しても液ガイドユニットと尿道口との近接状態がより安定に保たれる。【００５３】
以下に、液ガイドユニットと吸収体物品の他の部分との組合せについて説明する。
図８及び図９は、開口フィルムにより構成されている液ガイドユニットとスキンコンタクトシートとを有する組合せを示す模式的な平面図及び前記平面図中のＸ−Ｘ′線に沿った横端面図である。
図８（Ａ）に示される液ガイドユニット１０ｃは、長方形の開口フィルムにより構成されており、その前端部及び後端部に結合部（図中、黒塗部）を介してスキンコンタクトシート１８ａ及び１８ｂを有している。結合部は、例えば、接着剤により形成することができる。また、ウエストバンド（図示せず。）と液ガイドユニット１０ｃの前端部とが、スキンコンタクトシート１８ａにより結合している。
この態様のように、吸収体（図示せず。）の上側において、スキンコンタクトシート１８ａを有し、液ガイドユニット１０ｃの後端部とスキンコンタクトシート１８ａとが結合していると、液ガイドユニット１０ｃをスキンコンタクトシート１８ａによって前端部及び後端部で吊って、ハンモックのような宙吊り構造とすることができるとともに、液ガイドユニット１０ｃで受容した尿のうち、液ガイドユニット１０ｃ上を移動してきた尿を、スキンコンタクトシート１８ａを介して前側及び後側、特に後側に移動させることが可能となる。
図８（Ｂ）に示される液ガイドユニット１０ｃは、長方形の開口フィルムにより構成されており、その上側に、前端部から後端部より後ろの位置まで延在するスキンコンタクトシート１８ｃを有している。液ガイドユニット１０ｃとスキンコンタクトシート１８ｃとは、重なっている部分において、接着剤等により結合している。また、ウエストバンド（図示せず。）と液ガイドユニット１０ｃの前端部とが結合している。
図８（Ｂ）に示される組合せは、図８（Ａ）に示される組合せと同様の効果を奏する。【００５４】
図９（Ａ）に示される液ガイドユニット１０ｃは、長方形の開口フィルムにより構成されており、その上側に、前端部より前の位置から後端部より後ろの位置まで延在するスキンコンタクトシート１８ｄを有している。また、ウエストバンド（図示せず。）と液ガイドユニット１０ｃとが、スキンコンタクトシート１８ｄにより結合している。
図９（Ｂ）に示される液ガイドユニット１０ｃは、基本的には、図９（Ａ）に示される液ガイドユニット１０ｃと同様であるが、組み合わされるスキンコンタクトシート１８ｅの前端部が伸縮性部材２０と結合している点で異なる。【００５５】
図１０及び図１１は、開口フィルムにより構成されている液ガイドユニットとサポート部材とを有する組合せを示す模式的な平面図及び前記平面図中のＸ−Ｘ′線に沿った横端面図である。
図１０（Ａ）に示される液ガイドユニット１０ｃは、長方形の開口フィルムにより構成されており、その下側に、前端部から後端部より後ろの位置まで延在するシート状のサポート部材１６ｈを有している。
図１０（Ｂ）に示される液ガイドユニット１０ｃは、長方形の開口フィルムにより構成されており、その下側に、前端部より前の位置から後端部より後ろの位置まで延在するシート状のサポート部材１６ｉを有している。また、ウエストバンド（図示せず。）と液ガイドユニット１０ｃとが、サポート部材１６ｉにより結合している。
図１１（Ａ）に示される液ガイドユニット１０ｃは、基本的には、図１０（Ｂ）に示される液ガイドユニットと同様であるが、組み合わされるシート状のサポート部材１６ｊが伸縮性を有する点で異なる。
図１１（Ｂ）に示される液ガイドユニット１０ｃは、基本的には、図１０（Ｂ）に示される液ガイドユニット１０ｃと同様であるが、組み合わされるシート状のサポート部材１６ｋの前端部が伸縮性部材２０ａと結合し、かつ、その上側に、前端部から後端部より後ろの位置まで延在するスキンコンタクトシート１８ｆを有している点で異なる。【００５６】
図１２は、嵩高不織布により構成されている液ガイドユニットとサポート部材とを有する組合せを示す模式的な平面図及び前記平面図中のＸ−Ｘ′線に沿った横端面図である。
図１２（Ａ）に示される液ガイドユニット１０ｄは、長方形の嵩高不織布により構成されており、その下側に、前端部から後端部より後ろの位置まで延在するシート状のサポート部材１６ｈを有している。
図１２（Ｂ）に示される液ガイドユニット１０ｄは、長方形の嵩高不織布により構成されており、その下側に、前端部より前の位置から後端部より後ろの位置まで延在するシート状のサポート部材１６ｉを有している。また、ウエストバンド（図示せず。）と液ガイドユニット１０ｄとが、シート状のサポート部材１６ｉにより結合している。【００５７】
図１３及び図１４は、開口フィルムにより構成されている液ガイドユニットと側縁帯とを有する組合せを示す模式的な平面図及び前記平面図中のＸ−Ｘ′線に沿った横端面図である。
図１３（Ａ）に示される液ガイドユニット１０ｃは、長方形の開口フィルムにより構成されており、その左右端部が、防漏体の側面部（図示せず。）の端部に沿って設けられた側縁帯２４に直接に結合している。
図１３（Ｂ）に示される液ガイドユニット１０ｃは、長方形の開口フィルムにより構成されており、その左右端部が、それぞれ２箇所において、伸縮性を有する結合部材２６により、防漏体の側面部（図示せず。）の端部に沿って設けられた側縁帯２４に結合している。
図１４に示される液ガイドユニット１０ｃは、長方形の開口フィルムにより構成されており、その左右端部が、伸縮性を有しない結合部材（結合シート）２６ａにより、防漏体の側面部（図示せず。）の端部に沿って設けられた側縁帯２４に結合している。【００５８】
図１５は、嵩高不織布により構成されている液ガイドユニットと側縁帯とを有する組合せを示す模式的な平面図及び前記平面図中のＸ−Ｘ′線に沿った横端面図である。
図１５（Ａ）に示される液ガイドユニット１０ｄは、長方形の嵩高不織布により構成されており、その左右端部が、防漏体の側面部（図示せず。）の端部に沿って設けられた側縁帯２４に直接に結合している。
図１５（Ｂ）に示される液ガイドユニット１０ｄは、長方形の嵩高不織布により構成されており、その左右端部が、伸縮性を有しない結合部材（結合シート）２６ａにより、防漏体の側面部（図示せず。）の端部に沿って設けられた側縁帯２４に結合している。【００５９】
図１６は、開口フィルムにより構成されている液ガイドユニットと側縁帯とサポート部材とを有する組合せを示す模式的な平面図及び前記平面図中のＹ−Ｙ′線に沿った縦端面図である。
図１６（Ａ）に示される液ガイドユニット１０ｃは、長方形の開口フィルムにより構成されており、その下側に、前端部から後端部より後ろの位置まで延在するシート状のサポート部材１６ｈを有しており、かつ、サポート部材１６ｈの更に下側に、液ガイドユニット１０ｃの左端部より左の位置から右端部より右の位置まで延在する帯状のサポート部材１６ｌを有しており、帯状のサポート部材１６ｌにより、防漏体の側面部（図示せず。）の端部に沿って設けられた側縁帯２４に結合している。
図１６（Ｂ）に示される液ガイドユニット１０ｃは、長方形の開口フィルムにより構成されており、その下側に、液ガイドユニット１０ｃの左端部より左の位置から右端部より右の位置まで延在するシート状のサポート部材１６ｍを有しており、サポート部材１６ｍにより、防漏体の側面部（図示せず。）の端部に沿って設けられた側縁帯２４に結合している。【００６０】
図１７は、開口フィルムにより構成されている液ガイドユニットと側縁帯とサポート部材とを有する組合せを示す模式的な平面図及び前記平面図中のＸ−Ｘ′線に沿った横端面図である。
図１７に示される液ガイドユニット１０ｃは、長方形の開口フィルムにより構成されており、その下側に、Ｘ字状に液ガイドユニット１０ｃの左端部より左の位置から右端部より右の位置まで延在する二つの帯状のサポート部材１６ｎを有しており、帯状のサポート部材１６ｎにより、防漏体の側面部（図示せず。）の端部に沿って設けられた側縁帯２４に結合している。【００６１】
図１８は、開口フィルムにより構成されている液ガイドユニットとサポート部材とを有する組合せを示す模式的な平面図及び前記平面図中のＸ−Ｘ′線に沿った横端面図である。
図１８に示される液ガイドユニット１０ｃは、長方形の開口フィルムにより構成されており、その下側に、円柱形のウレタンフォームからなるサポート部材１６ｏを有している。この態様においては、液ガイドユニット１０ｃと吸収体（図示せず。）との間に空間が確保されている。【００６２】
図１９は、開口フィルムにより構成されている液ガイドユニットとサポート部材とを有する組合せを示す模式図である。図１９（Ａ）は、平面図及び前記平面図中のＸ−Ｘ′線に沿った横端面図である。図１９（Ｂ）は、平面図及び前記平面図中のＹ−Ｙ′線に沿った縦端面図である。
図１９（Ａ）に示される液ガイドユニット１０ｃは、長方形の開口フィルムにより構成されており、その下側に、吸収体として用いられるシート状吸収体が左右方向の中央部に一つの上向きの突起を有するように配置され、サポート部材１６ｐとして機能している。
図１９（Ｂ）に示される液ガイドユニット１０ｃは、長方形の開口フィルムにより構成されており、その下側に、吸収体として用いられるシート状吸収体が前後方向に三つの上向きの突起を有するように配置され、サポート部材１６ｑとして機能している。
これらの態様においては、液ガイドユニット１０ｃと吸収体（図示せず。）との間に空間が確保されている。【００６３】
図２０は、発泡成形体により構成されている液ガイドユニットと側縁帯とを有する組合せを示す模式図である。図２０（Ａ）は、平面図であり、図２０（Ｂ）は、図２０（Ａ）中のＹ−Ｙ′線に沿った縦端面図であり、図２０（Ｃ）は、斜視図である。
図２０に示される液ガイドユニット１０ｆは、凹面を上側に有する発泡成形体により構成されている。より具体的には、深皿状の本体と前記本体の後部に設けられた管状部とを有し、管状部の内部と本体の内部とは連通している。
液ガイドユニット１０ｆは、発泡ポリプロピレン等の発泡成形体から構成されており、例えば、発泡体シートを熱プレス成形に供することにより成形することができる。
図２０に示される液ガイドユニット１０ｆは、その左右２箇所ずつにおいて、伸縮性を有する結合部材２６ｂにより、防漏体の側面部（図示せず。）の端部に沿って設けられた側縁帯２４に結合している。
図２０に示される液ガイドユニット１０ｆにおいては、排出された尿の流れが、直接深皿状の本体に当たり、本体の底に集まり、管状部を通過し、吸収体に移動する。【００６４】
図２１は、発泡成形体により構成されている液ガイドユニットと側縁帯とを有する別の組合せを示す模式的な斜視図である。
図２１（Ａ）に示される液ガイドユニット１０ｉは、凹面を上側に有する発泡成形体により構成されている。より具体的には、小さな筋状の窪みを有する浅い凹面を形成する本体と、前記本体の後部に設けられた大きな皿状の凹部とを有しており、前記凹部の底には孔が設けられている。
液ガイドユニット１０ｉは、発泡ポリプロピレン等の発泡成形体から構成されており、例えば、発泡体シートを熱プレス成形に供することにより成形することができる。
図２１（Ａ）に示される液ガイドユニット１０ｉは、その左右２箇所ずつにおいて、伸縮性を有する結合部材２６ｂにより、防漏体の側面部（図示せず。）の端部に沿って設けられた側縁帯２４に結合している。
図２１（Ａ）に示される液ガイドユニット１０ｉにおいては、排出された尿が小さな筋状の窪みに沿って移動して凹部に集まりやすくなっており、凹部に集まった尿は、その底に設けられた孔から吸収体に移動する。【００６５】
図２１（Ｂ）に示される液ガイドユニット１０ｊは、凹面を上側に有する発泡成形体により構成されている。より具体的には、左右方向の中央部に谷を形成するように凹面状に成形されている。
液ガイドユニット１０ｊは、発泡ポリプロピレン等の発泡成形体から構成されており、例えば、発泡体シートを熱プレス成形に供することにより成形することができる。
図２１（Ｂ）に示される液ガイドユニット１０ｊは、その左右２箇所ずつにおいて、伸縮性を有する結合部材２６ｂにより、防漏体の側面部（図示せず。）の端部に沿って設けられた側縁帯２４に結合している。
図２１（Ｂ）に示される液ガイドユニット１０ｊにおいては、排出された尿が谷の底に集まり、勢いをもった尿の流れが谷に沿って後ろ側に移動し、液ガイドユニット１０ｊの後端部から吸収体に移動する。【００６６】
従来の吸収体物品の着用時においては、前後方向の中央部が、着用者の股下部に位置するため、両脚に挟まれて細くなっており、尿が後側に移動しにくいので、後身頃に存在する吸収体を尿の吸収に効率的に利用することが一般に困難である。「二階建て構造」においては、後身頃に存在する吸収体の効率的な利用ができないと、全体としての吸収量が多くならないので、特に問題となる。
図２０並びに図２１（Ａ）及び図２１（Ｂ）に示される各液ガイドユニットは、いずれも発泡成形体により股下部のサイズに合うように構成されているので、両脚に挟まれた場合においてもそのままの形状を保ってほとんど変形せず、尿の後身頃への移動を円滑に行うことができる。【００６７】
本発明の吸収体物品における尿の移動の状態について説明する。
図２２は、本発明の吸収体物品の一例における尿の移動の状態を説明する模式図である。図２２（Ａ）は、平面図であり、図２２（Ｂ）は、図２２（Ａ）中のＸ−Ｘ′線に沿った横端面図である。本発明の吸収体物品の構成部材のうち、図２２（Ａ）においては、防漏体の側面部、液ガイドユニット、サポート部材及び尿便分離部材のみを示しており、図２２（Ｂ）においては、液ガイドユニットのみを示している。
図２２に示されるように、尿道口Ｍから排出された尿は、矢印で示されるように、×印においてサポート部材１６によって支持される液不透過性の液ガイドユニット１０ａに当たり、液ガイドユニット１０ａの表面を放射状に移動し、液ガイドユニット１０ａの周縁部から主に下側に移動して拡散しつつ、吸収体（図示せず。）に広範囲に吸収される。
本発明に用いられる液ガイドユニットをもたない、従来の吸収体物品の場合には、前身頃に位置する尿道口から排出された尿は、まずその近傍で吸収体に吸収され、その部位が飽和すると周囲に徐々に拡散する。尿の拡散は、前方は前身頃の先端部まで達するが、後方は股下の狭窄部でブロックされる。このため、前身頃部分に存在する吸収体が利用されやすい伏臥位や横臥位だけでなく、重力によって尿が後身頃に移動しやすい状態になる座位や仰臥位であっても、尿の拡散が股下狭窄部でブロックされ後身頃への通路が塞がれるため、尿は、せいぜい肛門の付近までしか移動することができない。したがって、従来の吸収体物品では、どのような体位であっても後身頃の大部分はほとんど利用されない状態となっていた。
本発明においては、液ガイドユニットを用いることによって、排出された尿は尿道口付近に存在する吸収体で吸収されるより前に、広範囲に、特に後身頃方向に尿を移動させることによって、例えば、伏臥位においても後身頃の半分程度まで、仰臥位においては後身頃の後端まで吸収体を利用することができるようになる。このように液ガイドユニットを用いると、どのような体位においても尿を前身頃から後身頃まで広範囲に移動できるため、吸収体全体の利用効率を大幅に高めることができる。
なお、図２２に示される態様においては、防漏体１２の一対の側面部を結ぶように尿便分離部材２８が設けられ、尿が便と混ざることは防止されている。さらに、便受容部が便バリアによりその下側の吸収体と隔離されている場合には、尿が後身頃全体に移動しても、尿と便とが混ざらない。【００６８】
図２３は、本発明の吸収体物品の別の一例における尿の移動の状態を説明する模式図である。図２３（Ａ）は、平面図であり、図２３（Ｂ）は、図２３（Ａ）中のＸ−Ｘ′線に沿った横端面図である。本発明の吸収体物品の構成部材のうち、図２３（Ａ）においては、防漏体の側面部、液ガイドユニット、サポート部材及び尿便分離部材のみを示しており、図２３（Ｂ）においては、液ガイドユニットのみを示している。
図２３に示されるように、尿道口Ｍから排出された尿は、矢印で示されるように、×印においてサポート部材１６によって支持される液透過性の液ガイドユニット１０ｂに当たり、放射状に液ガイドユニット１０ｂの表面を移動するとともに下向きにも移動して短時間に広い面積に拡散しつつ、吸収体（図示せず。）に吸収される。【００６９】
図２４は、図２３に示される本発明の吸収体物品における尿の移動の状態を説明する模式的な縦端面図である。図２４は、吸収体物品の左右方向の中央部における縦端面図を示す。
図２４に示されるように、吸収体物品１ａの着用者の尿道口Ｍから排出された尿は、矢印で示されるように、×印においてサポート部材１６によって支持され、防漏体１２に結合する液透過性の液ガイドユニット１０ｂに当たり、一部が液ガイドユニット１０ｂの周縁部から下側に移動して、吸収体１４に吸収され、残部が液ガイドユニット１０ｂの内部を通過して、吸収体１４に吸収される。前身頃においては、液ガイドユニット１０ｂの表面において排出された尿が当たる部分より前においては尿は前向きに移動し、その部分より後ろにおいては尿は後ろ向きに移動する。後身頃においては、尿は後ろ向きに移動する。この際、図示されるように、吸収体物品１ａが尿便分離部材２８及び便バリア３０を備えていると、液ガイドユニット１０ｂの表面を移動した尿が尿便分離部材２８によりブロックされ、また、防漏体１４の内部空間を後ろ向きに移動した尿が便バリア３０によりブロックされるため、尿便分離部材２８及び便バリア３０により仕切られた便受容部Ｒには尿が移動せず、その結果、尿便分離が可能となる。【００７０】
図２５及び図２６は、本発明の吸収体物品の更に別の一例を示す模式図である。図２５（Ａ）は、平面図であり、図２５（Ｂ）は、着用前及び着用時の液ガイドユニット及びスキンコンタクトシートの部分拡大平面図であり、図２６（Ａ）は、図２５（Ａ）中のＹ−Ｙ′線に沿った縦端面図であり、図２６（Ｂ）は、図２５（Ａ）中のＸ1−Ｘ1′線に沿った横端面図であり、図２６（Ｃ）は、図２５（Ａ）中のＸ2−Ｘ2′線に沿った横端面図である。
図２５及び図２６に示される吸収体物品１ｂは、基本的に、前後方向に延在する底面部と前記底面部の左右両側において上側に立ち上がっている側面部とを有する防漏体１２ａと、防漏体１２ａの前記底面部と前記側面部とにより形成される内部空間に少なくとも１層配置された、高吸水性樹脂を含有し体液を吸収しうる吸収体１４と、前記内部空間の前身頃部において、排出された尿の流れが直接当たる位置に配置され、尿が排出された場合に尿の流れが当たった位置から他の位置に移動させる液ガイドユニット１０ｇとを具備する。【００７１】
防漏体１２ａの側面部は、蛇腹状に折りたたまれ、内部空間が上下２段に分かれており、下段には吸収体１４が設けられ、上段の後身頃部には、吸収体１４の上側に、便受容用吸収体１４ａが設けられており、その前端部は、液ガイドユニット１０ｇの後端部と結合している。便受容用吸収体１４ａは、ＳＡＰの分散スラリーを不織布の上にコーティングする方法で得られる高吸水性シートであり、ＳＡＰ層が下側、不織布層が上側になるように配置され、その左右両端において、防漏体１２ａの内面に接着剤等により結合している。
防漏体１２ａの前端部には、ウエストバンド３２が結合しており、ウエストバンド３２には、液ガイドユニット１０ｇの前端部が結合している。
防漏体１２ａの後端部には、ウエストバンド３２ａが結合しており、ウエストバンド３２ａの左右端部には、防漏体１２ａの前端部に結合しているウエストバンド３２と着脱可能に結合するための結束部３４が結合している。
防漏体１２ａの左右の側面部には、その端部に沿って一対の側縁帯２４ａが設けられ、一対の側縁帯２４ａが前後方向の中央部において互いに結合してＸ字型を形成している。
一対の側縁帯２４ａの結合部の下面には、尿便分離部材２８の前端部が結合し、尿便分離部材２８の後端部は便受容用吸収体１４ａの前端部に、液ガイドユニット１０ｇの後端部とともに結合している。このように、吸収体物品１ｂは、その後部において、防漏体１２ａの上に吸収体１４を介して便受容用吸収体１４ａを有し、防漏体１２ａ上の吸収体１４で尿を吸収し、便受容用吸収体１４ａの上側で便を収容するという「二階建て構造」となっている。【００７２】
液ガイドユニット１０ｇは、伸縮性ネット（例えば、ＳＥＢＳとＥＶＡとからなるゴムフィラメント。例えば、６０ｄ）により構成されている。液ガイドユニット１０ｇの上面に結合しているスキンコンタクトシート１８ｇは、不織布（例えば、サーマルボンド不織布）からなり、左右方向のスリットを並列に数本有している。着用前においては、液ガイドユニット１０ｇが伸張しておらず、スキンコンタクトシート１８ｇのスリットも閉じているが（図２５（Ｂ）の左図参照。）、着用時においては、液ガイドユニット１０ｇが伸張し、スキンコンタクトシート１８ｇのスリットが開く（図２５（Ｂ）の右図参照。）。
この液ガイドユニット１０ｇは、伸縮性を有しているので、着用時に、着用者の体表面の形状に沿った形状になることができる。【００７３】
吸収体物品１ｂは、吸収体１４及び便受容用吸収体１４ａという２枚のシート状吸収体を有している。そのため、吸収体物品１ｂは、粉末状の木材パルプ及びＳＡＰを混ぜた粉体状吸収体を用いる従来の吸収体物品と比べて厚さが１／２〜１／３であるという極めて薄いものであるが、液ガイドユニットにより吸収体の前後方向及び上下方向のほとんどすべての部分を尿の吸収に利用することができる、面積利用効率が極めて高い吸収体物品となっている。したがって、通常、３回以上の尿の排出に十分に対応することができる吸収能力を備えている。
また、吸収体物品１ｂは、尿便分離部材２８等により尿便分離機能を奏するため、長時間使用してもおむつかぶれを生ずることが少なく、便をしても着用者の臀部の汚れる面積が小さい。【００７４】
図２７及び図２８は、本発明の吸収体物品の更に別の一例を示す模式図である。図２７は、平面図であり、図２８（Ａ）は、図２７中のＹ−Ｙ′線に沿った縦端面図であり、図２８（Ｂ）は、図２７中のＸ1−Ｘ1′線に沿った横端面図であり、図２８（Ｃ）は、図２７中のＸ2−Ｘ2′線に沿った横端面図である。
図２７及び図２８に示される吸収体物品１ｃは、基本的に、前後方向に延在する底面部と前記底面部の左右両側において上側に立ち上がっている側面部とを有する防漏体１２ｂと、防漏体１２ｂの前記底面部と前記側面部とにより形成される内部空間に少なくとも１層配置された、高吸水性樹脂を含有し体液を吸収しうる吸収体１４と、前記内部空間の前身頃部において、排出された尿の流れが直接当たる位置に配置され、尿が排出された場合に尿の流れが当たった位置から他の位置に移動させる液ガイドユニット１０ｈとを具備する。【００７５】
吸収体１４は、高吸水性樹脂と木材パルプとを含有している。吸収体１４の上には全面にわたってスキンコンタクトシート１８ｈが設けられている。後身頃部には、スキンコンタクトシート１８ｈの上側に、便受容用吸収体１４ａが設けられている。便受容用吸収体１４ａは、その左右両端において、防漏体１２ｂの内面に接着剤等により結合している。
防漏体１２ｂの左右の側面部は、端部が外側に折り返され、その端部に沿って一対の側縁帯２４が設けられている。
一対の側縁帯２４の前後方向の中央部には、Ｚ字型の断面を有する尿便分離部材２８ａがその上面において結合し、尿便分離部材２８ａの下面は便受容用吸収体１４ａの前端部に結合している。このように、吸収体物品１ｃは、その後部において、防漏体１２ｂの上に吸収体１４及びスキンコンタクトシート１８ｈを介して便受容用吸収体１４ａを有し、防漏体１２ｂ上の吸収体１４で尿を吸収し、便受容用吸収体１４ａの上側で便を収容するという「二階建て構造」となっている。
防漏体１２ｂは前端部及び後端部において上側に立ち上がっている。
防漏体１２ｂの前端部とスキンコンタクトシート１８ｈの尿便分離部材２８ａより少し後ろの位置との間には、左右２本のサポート部材１６ｒが設けられ、２本のサポート部材１６ｒの上側にそれらをわたすように液ガイドユニット１０ｈが配置されている。
防漏体１２ｂの後側の左右両側には、ウエストバンド３２ｂが結合しており、ウエストバンド３２ｂの左右端部には、防漏体１２ｂの底面部の前部の下側と着脱可能に結合するための結束部３４ａが結合している。【００７６】
図２９及び図３０は本発明の吸収体物品の更に別の一例を示す模式図である。図２９は平面図であり、図３０（Ａ）は図２９中のＹ−Ｙ′線に沿った縦端面図であり、図３０（Ｂ）は図２９のＸ1−Ｘ1′線に沿った横端面図であり、図３０（Ｃ）は図２９中のＸ2−Ｘ2′線に沿った横端面図である。
図２９及び図３０に示される吸収体物品１ｄは、基本的に、前後方向に延在する底面部と前記底面部の左右両側において上側に立ち上がっている側面部とを有する防漏体１２ｃと防漏体１２ｃの前記底面部と前記側面部とにより形成される内部空間に配置された吸収体１４と前記内部空間の前身頃部において、排出された尿の流れが直接当たる位置に配置され、尿が排出された場合に尿の流れが当たった位置から他の位置に移動させる液ガイドユニット１０ｉとを具備する。【００７７】
吸収体１４は、高吸水性樹脂と木材パルプを含有し、ティシュペーパーでラッピングされた体液を吸収しうる吸収体である。吸収体１４の上には全面に渡ってスキンコンタクトシート１８ｉが設けられている。防漏体１２ｃの左右両側部は立ち上がって、その端部に沿って一対の側縁帯２４が設けられている。
防漏体１２ｃの前端部にはウエストバリアシート３６が結合しており、これらにより防漏体１２ｃの前端部からの尿の漏れを防止するポケットが形成されている。ウエストバリアシート３６とスキンコンタクトシート１８ｉのほぼ中央との間には左右１本ずつのサポート部材１６ｓが設けられ、２本のサポート部材１６ｓの上側にそれらを渡すように液ガイドユニット１０ｉが配置されている。サポート部材１６ｓは、液ガイドユニット１０ｉより前側が非伸縮性、後側が伸縮性となっている。
防漏体１２ｃの後側の左右両側には、防漏体１２ｃの底面部の前部の下側と着脱可能に結合するための結束部３４ｂが結合している。【００７８】
図３１及び図３２は本発明の吸収体物品の更に別の一例を示す模式図である。図３１は平面図であり、図３２（Ａ）は図３１中のＹ−Ｙ′線に沿った縦端面図であり、図３２（Ｂ）は図３１のＸ1−Ｘ1′線に沿った横端面図であり、図３２（Ｃ）は図３１中のＸ2−Ｘ2′線に沿った横端面図である。
図３１及び図３２に示される吸収体物品１ｅは、基本的に、図２９及び図３０に示される吸収体物品１ｄと同じであるが、更に、後身頃部において、スキンコンタクトシート１８ｉの上側に疎水性ＳＭＳ不織布（例えば、目付量１５ｇ／ｍ2）からなる便受容シート３８が設けられ、便受容シート３８の左右両端と防漏体１２ｃの内面とが接着剤等によって、未結合部を残すように部分的に結合している。未結合部が残っているため、水様便等の極めて流動性の高い軟便が排出された場合には、軟便は、便受容シート３８の左右両側から未結合部を経由してその下側に存在する吸収体１４へと移動して吸収される。
また、一対の側縁帯２４の前後方向の中央部には、Ｃ字型の断面を有する尿便分離部材２８ｂがその一方の端部において結合し、尿便分離部材２８ｂの他方の端部は便受容シート３８の前端部に結合している。このように、吸収体物品１ｅは、その後部において、防漏体１２ｃの上に吸収体１４及びスキンコンタクトシート１８ｉを介して便受容シート３８を有し、防漏体１２ｃ上の吸収体１４で尿を吸収し、便受容シート３８の上側で便を収容するという「二階建て構造」となっている。【００７９】
図３３及び図３４は本発明の吸収体物品の更に別の一例を示す模式図である。図３３は平面図であり、図３４（Ａ）は図３３中のＹ−Ｙ′線に沿った縦端面図であり、図３４（Ｂ）は図３３のＸ1−Ｘ1′線に沿った横端面図であり、図３４（Ｃ）は図３３中のＸ2−Ｘ2′線に沿った横端面図である。
図３３及び図３４に示される吸収体物品１ｆは、基本的に、前後方向に延在する底面部と前記底面部の左右両側において上側に立ち上がっている側面部とを有する防漏体１２ｃと防漏体１２ｃの前記底面部と前記側面部とにより形成される内部空間に配置された吸収体１４と前記内部空間の前身頃部において、排出された尿の流れが直接当たる位置に配置され、尿が排出された場合に尿の流れが当たった位置から他の位置に移動させる液ガイドユニット１０ｊとを具備する。【００８０】
吸収体１４は、高吸水性樹脂と木材パルプを含有し、ティシュペーパーでラッピングされた体液を吸収しうる吸収体である。吸収体１４の上には全面に渡ってスキンコンタクトシート１８ｉが設けられている。防漏体１２ｃの左右両側部は立ち上がって、その端部に沿って一対の側縁帯２４が設けられている。
防漏体１２ｃの前端部にはウエストバリアシート３６が結合しており、これらにより防漏体１２ｃの前端部からの尿の漏れを防止するポケットが形成されている。ウエストバリアシート３６とスキンコンタクトシート１８ｉのほぼ中央との間にはほぼチューブ状をした液ガイドユニット１０ｊが左右方向の中央に配置されている。
ほぼチューブ状をした液ガイドユニット１０ｊは、幅約５０ｍｍの短冊状の高吸水性シート（例えば、（株）日本吸収体技術研究所製のＭｅｇａＴｈｉｎ（登録商標））の左右両端を上側に折り返してＣ字型の断面を有するようにした上で（図３４（Ｂ）参照。）、スキンコンタクトシート１８ｊで全体を包んで構成されている。液ガイドユニット１０ｊは、厚さが尿の吸収前は３〜５ｍｍ程度であるが、尿の吸収後は３０〜５０ｍｍ程度に膨化するため、着用者の尿道口との近接状態を常に保つことができる。このような液ガイドユニットとしては、例えば、本発明者が提案した特開平１０−３１４２１７号公報に記載されているチューブ状吸収体を用いることができる。
液ガイドユニット１０ｊは、前端付近がスキンコンタクトシート１８ｉとは結合せずに若干上側に立ち上がった状態となっており、それ以外の部分はスキンコンタクトシート１８ｉと結合している（図３４（Ａ）参照。）。
防漏体１２ｃの後側の左右両側には、防漏体１２ｃの底面部の前部の下側と着脱可能に結合するための結束部３４ｂが結合している。【００８１】
図３５及び図３６は本発明の吸収体物品の更に別の一例を示す模式図である。図３５は平面図であり、図３６（Ａ）は図３５中のＹ−Ｙ′線に沿った縦端面図であり、図３６（Ｂ）は図３５のＸ1−Ｘ1′線に沿った横端面図であり、図３６（Ｃ）は図３５中のＸ2−Ｘ2′線に沿った横端面図である。
図３５及び図３６に示される吸収体物品１ｇは、基本的に、図３３及び図３４に示される吸収体物品１ｆと同じであるが、更に、後身頃部において、スキンコンタクトシート１８ｉの上側に疎水性ＳＭＳ不織布（例えば、目付量１５ｇ／ｍ2）からなる便受容シート３８が設けられ、便受容シート３８の左右両端と防漏体１２ｃの内面とが接着剤等によって、未結合部を残すように部分的に結合している。未結合部が残っているため、水様便等の極めて流動性の高い軟便が排出された場合には、軟便は、便受容シート３８の左右両側から未結合部を経由してその下側に存在する吸収体１４へと移動して吸収される。
また、一対の側縁帯２４の前後方向の中央部には、Ｃ字型の断面を有する尿便分離部材２８ｂがその一方の端部において結合し、尿便分離部材２８ｂの他方の端部は便受容シート３８の前端部に結合している。このように、吸収体物品１ｇは、その後部において、防漏体１２ｃの上に吸収体１４及びスキンコンタクトシート１８ｉを介して便受容シート３８を有し、防漏体１２ｃ上の吸収体１４で尿を吸収し、便受容シート３８の上側で便を収容するという「二階建て構造」となっている。【００８２】
図３７及び図３８は本発明の吸収体物品の更に別の一例を示す模式図である。図３７は平面図であり、図３８（Ａ）は図３７中のＹ−Ｙ′線に沿った縦端面図であり、図３８（Ｂ）は図３７のＸ1−Ｘ1′線に沿った横端面図であり、図３８（Ｃ）は図３７中のＸ2−Ｘ2′線に沿った横端面図である。
図３７及び図３８に示される吸収体物品１ｈは、基本的に、前後方向に延在する底面部と前記底面部の左右両側において上側に立ち上がっている側面部とを有する防漏体１２ｄと防漏体１２ｄの前記底面部と前記側面部とにより形成される内部空間に配置された吸収体１４ｂと前記内部空間の前身頃部において、排出された尿の流れが直接当たる位置に配置され、尿が排出された場合に尿の流れが当たった位置から他の位置に移動させる液ガイドユニット１０ｋとを具備する。【００８３】
吸収体１４ｂは、高吸水性樹脂と木材パルプを含有し、ティシュペーパーでラッピングされた体液を吸収しうる吸収体である。吸収体１４ｂの上には全面に渡ってスキンコンタクトシート１８ｋが設けられている。防漏体１２ｄの左右両側部は立ち上がって、その端部に沿って一対の側縁帯２４が設けられている。
防漏体１２ｄの前端部にはウエストバリアシート３６が結合しており、これらにより防漏体１２ｄの前端部からの尿の漏れを防止するポケットが形成されている。
防漏体１２ｄの左右方向の中央においては、前身頃において、Ｖ字型の凹部が形成されており、吸収体１４ｂ及びスキンコンタクトシート１８ｋは、それぞれ防漏体１２ｄの形状に沿うような形状となっている。
防漏体１２ｄのＶ字型の凹部の上には、吸収体１４ｂ及びスキンコンタクトシート１８ｋを介して、生理用ナプキンや尿パッドのような形状をした液ガイドユニット１０ｋ及びその下側の防漏体１２ｅが、前記凹部を被覆するように設けられている。防漏体１２ｅは、その下面の左右両端においてスキンコンタクトシート１８ｋに接着剤（図３８（Ｂ）の斜線部）で結合している。防漏体１２ｅの前端はスキンコンタクトシート１８ｋに結合せずに立ち上がって、尿道口に近接するように配置されている。
液ガイドユニット１０ｋは、開口フィルムとその下側の高吸水性シート（例えば、（株）日本吸収体技術研究所製のＭｅｇａＴｈｉｎ（登録商標））との長方形の積層体であり、その底面と左右両側を防漏体１２ｅが被覆している。防漏体１２ｅは、左右両側が立ち上がって伸縮ギャザーを形成しており、生理用ナプキンや尿パッドのような形状となっている。【００８４】
液ガイドユニット１０ｋに尿が排出されると、尿の一部は液ガイドユニット１０ｋの高吸水性シートに吸収されるが、尿の大部分は前後に移動する。このとき、防漏体１２ｅが立ち上がっているから、液ガイドユニット１０ｋの左右両側からは尿は移動しない。
吸収体物品１ｈは、便受容シートを有していないが、前身頃の凹部に後身頃から溢れた便を収容することができるため、前身頃で着用者の肌に便が接触するおそれは少ない。
防漏体１２ｄの後側の左右両側には、防漏体１２ｄの底面部の前部の下側と着脱可能に結合するための結束部３４ｂが結合している。
【実施例】
【００８５】
以下に、実施例を示して本発明を具体的に説明する。ただし、本発明はこれらに限られるものではない。
１．吸収体物品の作製
（実施例１）
図２７及び図２８に示される吸収体物品１ｃに該当する吸収体物品を、以下のようにして手作りで作製した。
（１）全体の構造
・作製した吸収体物品は、前身頃部に尿受容部、後身頃部に便受容部をもち、中央部に尿便分離部材を有する尿便分離型おむつである。
・前身頃部は、着用者の身体側から順に、液ガイドユニット、スキンコンタクトシート、吸収体（下層吸収体）及び防漏体（バックシート）を有する。液ガイドユニットは、前身頃部（尿受容部）において、排出された尿の流れが直接当たる位置に配置されている。
・後身頃部は、着用者の身体側から順に、便受容用吸収体（上層吸収体）、吸収体（下層吸収体）及び防漏体（バックシート）を有する。後身頃部においては、吸収体が２層構造をなしており、上層吸収体は便の受容及び尿の吸収に用いられ、下層吸収体は前身頃から後身頃に渡って設置されていて、尿の吸収に用いられる。
・中央部に配置された尿便分離部材は、その下端が、後身頃に配置された便受容用吸収体（上層吸収体）の前端に結合している。
・大きさは、Ｌサイズの子ども用おむつの程度であった。【００８６】
（２）液ガイドユニット
・液ガイドユニットは、表面親水化処理をしたＰＥ製の開口フィルム（Ｘ−２７３７３  ｆｉｌｍ、Ｔｒｅｄｅｇａｒ社製）により構成されていた。開口フィルムは、前後方向の長さ８０ｍｍ、左右方向の長さ７０ｍｍの長方形であった。
・液ガイドユニットは、左右２本のサポート部材の上側にそれらをわたすように配置されていた。サポート部材は、２枚のＳＢ不織布でウレタンフィラメントの上下をラミネートした構造を持ち、伸縮性を有していた。サポート部材は、前端が防漏体（バックシート）の前端部に結合し、後端がスキンコンタクトシートの中央部よりやや後側に結合していた。
・液ガイドユニットは、着用者の尿道口付近に軽く接触するように着用された。【００８７】
（３）吸収体
（ａ）吸収体（下層吸収体）
・パルプ１０ｇ及びＳＡＰ５ｇの混合物をティッシュペーパーで包んでシート状の吸収体を形成させた。吸収体は、前後方向の長さ３６０ｍｍ、左右方向の長さ８０ｍｍの長方形であった。
・設計吸収量は、吸水量が３２０ｇ、保水量が１８０ｇであった。
・吸収体は、前身頃部から後身頃部に渡って配置され、尿を吸収する主要部分の役割を果たすものであった。
（ｂ）便受容用吸収体（上層吸収体）
・便受容用吸収体には、薄型高吸水性シート（ＭｅｇａＴｈｉｎ（登録商標）、（株）日本吸収体技術研究所製）を用いた。図３９は、実施例１の吸収体物品の便受容用吸収体に用いられた薄型高吸水性シートの模式的な横端面図である。この薄型高吸水性シートは、着用者の身体側から疎水性ＳＭＳ不織布４０（目付量１３ｇ／ｍ2）と、ティッシュペーパー４２（目付量１５ｇ／ｍ2）と、ＳＡＰ層４６（目付量１５０ｇ／ｍ2）を下面に担持するポリエステルウェブ４４（目付量２０ｇ／ｍ2）とからなる３層構成の複合シート（厚さ約１．１ｍｍ）であった（図３９の上図参照。）。薄型高吸水性シートは、全体に柔軟性を付与し、かつ、表面に凹凸を設けるために、ペーパークリンパー（ＦＩＳＫＡＲＳ社製）で微細なコルゲート加工を施して用いた（図３９の下図参照。）。薄型高吸水性シートは、前後方向の長さ１６０ｍｍ、左右方向の長さ６０ｍｍの長方形であった。
・ポリエステルウェブに担持されたＳＡＰ層は、幅１０ｍｍ程度、間隔５ｍｍ程度で、ライン状に設けられていた。
・薄型高吸水性シートは、疎水性ＳＭＳ不織布が着用者の身体側に向かうように配置され、疎水性ＳＭＳ不織布の面が便を受容するものであった。
・薄型高吸水性シートは、ＳＡＰ層で、後身頃に移動してきた尿の吸収を行うものであった。
・薄型高吸水性シートは、ライン状のＳＡＰ層が前後方向になるように配置されていた。
・設計吸収量は、吸水量が１２０ｇ、保水量が７２ｇであった。【００８８】
（４）尿便分離部材
・尿便分離部材は、ＳＭＳ不織布（Ｔｏｒａｙ  Ｓａｅｈａｎ社製、目付量１３ｇ／ｍ2）とＰＥ（ＬＬＤＰＥ）製フィルム（三井化学製）とのラミネート品（前後方向の長さ６０ｍｍ、左右方向の長さ８０ｍｍの長方形）を、Ｚ字型に折って形成した（Ｚ字型の上側部、中間部及び下側部の前後方向の長さ各２０ｍｍ）。
・尿便分離部材の下側部の下面は、便受容用吸収体（上層吸収体）の疎水性ＳＭＳ不織布とホットメルト接着剤により結合していた。
・尿便分離部材の上側部の左右両端は、側縁帯に結合していた。これにより、着用時に、尿便分離部材の上側部の上面が着用者の会陰部への接触状態が常に保たれるようになっていた。
・Ｚ字型の折り込み構造となっているため、吸収体物品の装着時や排便後などに、尿便分離部材の上側部の上面が会陰部に接触した状態を保ったまま、便受容部の上下方向のスペースを確保することができる。便受容部の容積は、加圧なしの状態で２００ｍＬ程度、加圧下（２０ｌｂ／ｃｍ2）で８０ｍＬ程度であった。
・尿便分離部材は、着用者の会陰部（性器と肛門との間）に接触するように配置された。【００８９】
（５）側縁帯
・側縁帯は、防漏体の左右の側面部の端部に沿って前端部から後端部まで設けられており、伸縮性を有していた。
・側縁帯は、複数本のウレタンフィラメント（東レデュポン社製、６２０ｔｅｘ）を並列に配置し、２枚のＳＢ不織布（Ｔｏｒａｙ  Ｓａｅｈａｎ社製）に挿み込んで構成されていた。
・側縁帯は、長さ３６０ｍｍ（収縮時）、幅２０ｍｍであった。
・側縁帯は、前後方向に伸縮性をもっていた。伸縮率は２００％であった。【００９０】
（６）その他
・ウエストバンド及び結束部は、市販の子ども用おむつ（ムーニーマンＢｉｇサイズ、ユニチャーム社製）から幅８０ｍｍのウエスト部を切り取って、防漏体に結合させて形成した。【００９１】
（比較例１）
液ガイドユニット及びサポート部材を有しない以外は、実施例１と同様の方法により、吸収体物品を作製した。【００９２】
２．吸収体物品の評価
（１）吸収体物品の吸水量及び膨張率の測定
実施例１で得られた吸収体物品について、ＪＩＳ  Ｋ７２２３−１９９６の「高吸水性樹脂の吸収量試験方法」の規定に準じて、吸水量及び保水量を測定した。
吸水量は、バット内で生理食塩水に２０分間浸して吸水させ、測定した。
保水量は、吸水量を測定した後、１，０００Ｇで１０分間遠心分離をすることにより脱水して測定した。
前身頃（吸収体１層）及び後身頃（吸収体２層）の厚さを、それぞれ吸収体物品の左右方向の中央において吸水前後で測定し、吸水後の値を吸水前の値で除して、膨張率を算出した。【００９３】
測定結果は、吸水量が４４０ｇ、保水量が２５２ｇであった。
また、前身頃の厚さは吸水前が３．０ｍｍ、吸水後が１１．０ｍｍであり、膨張率は３．６倍であった。後身頃の厚さは吸水前が４．１ｍｍ、吸水後が２４．０ｍｍであり、膨張率は５．９倍であった。
前身頃には、従来のパルプ及びＳＡＰの混合物を用いた吸収体のみが配置され、後身頃には、前記吸収体及び薄型高吸水性シートの２層の吸収体が配置されていたので、膨張率に大きな差異が生じた。【００９４】
（２）着用試験
実施例で作製した吸収体物品について、着用試験を行った。
具体的には、正常な排尿機能及び排便機能をもつ健常な乳幼児（男児３名、女児３名の計６名）に、それぞれ吸収体物品５枚（計３０枚）を着用させて、排尿及び排便を行わせた。平均着用時間、排尿枚数、尿の平均吸収量、尿漏れ枚数、排便枚数、便の種類及び便漏れ枚数を調べた。結果を第１表に示す。
また、上記の３０枚から、体位の比較的明らかになっているものについて、分解して、吸収体（下層吸収体）及び便受容用吸収体（上層吸収体）の使用状態（尿の拡散状態）を体位ごとに男女別で解析した。
吸収体（下層吸収体）は、そのままの状態で使用状態を調べた。便受容用吸収体（上層吸収体）は、前身頃、中央部及び後身頃の三つの部分に均等に分割して使用状態を調べた。使用状態は、吸収体又は便受容用吸収体の全量のうち、尿が吸収されていた部分の割合を、目視で測定して評価した。結果を第２表に示す。【００９５】
【表１】
2008081549.tif 000003
【００９６】
【表２】
2008081549.tif 000004
【００９７】
尿漏れについては、実施例１の吸収体物品においては、座位におけるにじみ出しが１枚観察された以外はいずれの体位でも発生しなかったが、比較例１の吸収体物品においては、体位によっては尿漏れが発生した。これは、比較例１においては、尿が吸収体物品内で広く分配されず、吸収体の使用部分が１箇所に集中してしまうため、その箇所の吸収体の吸収能力を超えてしまい、その付近から吸収体物品の外へと尿が漏れてしまったためであると推測される。【００９８】
男児及び女児の吸収体の使用状態の差異については、実施例１の吸収体物品は似ていた。局部の形状は違っていても、尿が液ガイドユニットに当たってから移動する方向が、両者において同じようになったからであると推測される。これに対して、比較例１の吸収体物品は、いずれも後身頃はあまり使われず、男児は前身頃、女児は中央部に集中していた。したがって、液ガイドユニットを配置することによって、男女の吸収体の使用箇所に差異がなくなったことが分かる。また、吸収体の使用効率も高くなったことが分かる。【００９９】
尿便分離の状態については、実施例１の吸収体物品においては、男児の場合は、尿はほぼ全量が吸収体及び便受容用吸収体へと移動しており、尿便分離部材はほとんど濡れておらず、女児の場合は、尿便分離部材が濡れているものが数枚あり、便受容部に数滴程度流れてしまっているものもあった。女児の場合、体位によっては液ガイドユニットではなく着用者の体表面を伝ってしまう尿があり、尿便分離部材の方へと流れたと推測される。そのようなもの以外では、男児の場合と同様に、尿はほぼ全量が後身頃の吸収体及び便受容用吸収体へと移動していた。実施例１の吸収体物品のように、尿及び便と着用者の体表面との接触を避けるために、着用時に吸収体と体表面とが離間するように設計された吸収体物品においては、尿をどのように吸収体に移動させるか（いかに着用者の体表面を伝わらせないか）が課題になるが、実施例１の吸収体物品は、液ガイドユニットにより、ほぼ全量が後身頃の吸収体及び便受容用吸収体へと移動しており、上記課題が解決されていた。
比較例１の吸収体物品においては、特に仰臥位において、尿が尿便分離部材を越えて便受容部にまで達しているものがあり、その現象は女児に顕著に現れていた。その結果、排便されていたものは、尿と便とが混ざり合っていた。【０１００】
実施例１の吸収体物品においては、尿の後身頃への移動が比較的起こりやすい仰臥位だけでなく、立位、座位等でも、尿の股下部を経て後身頃への移動が起こり、後身頃での尿の吸収が十分に行われていた。
実施例１の吸収体物品においては、使用後の液ガイドユニットの表面はほとんど湿っておらず、排出された尿はほぼ全量が吸収体及び便受容用吸収体へと移動しており、両者の後端にまで達していた。【０１０１】
このように、本発明の吸収体物品は、液ガイドユニットを有するため、男児女児の区別なく、吸収体の利用効率に優れ、漏れが生じにくく、尿便分離機能に優れることが分かった。
【図１】
2008081549.tif 000005
【図２】
2008081549.tif 000006
【図３】
2008081549.tif 000007
【図４】
2008081549.tif 000008
【図５】
2008081549.tif 000009
【図６】
2008081549.tif 000010
【図７】
2008081549.tif 000011
【図８】
2008081549.tif 000012
【図９】
2008081549.tif 000013
【図１０】
2008081549.tif 000014
【図１１】
2008081549.tif 000015
【図１２】
2008081549.tif 000016
【図１３】
2008081549.tif 000017
【図１４】
2008081549.tif 000018
【図１５】
2008081549.tif 000019
【図１６】
2008081549.tif 000020
【図１７】
2008081549.tif 000021
【図１８】
2008081549.tif 000022
【図１９】
2008081549.tif 000023
【図２０】
2008081549.tif 000024
【図２１】
2008081549.tif 000025
【図２２】
2008081549.tif 000026
【図２３】
2008081549.tif 000027
【図２４】
2008081549.tif 000028
【図２５】
2008081549.tif 000029
【図２６】
2008081549.tif 000030
【図２７】
2008081549.tif 000031
【図２８】
2008081549.tif 000032
【図２９】
2008081549.tif 000033
【図３０】
2008081549.tif 000034
【図３１】
2008081549.tif 000035
【図３２】
2008081549.tif 000036
【図３３】
2008081549.tif 000037
【図３４】
2008081549.tif 000038
【図３５】
2008081549.tif 000039
【図３６】
2008081549.tif 000040
【図３７】
2008081549.tif 000041
【図３８】
2008081549.tif 000042
【図３９】
2008081549.tif 000043
【国際調査報告】
2008081549.tif 000044
2008081549.tif 000045
2008081549.tif 000046
2008081549.tif 000047